(57)【要約】      （修正有）【課題】煩雑な作業をしなくとも、種々のデザインが施されたカバー部材を容易に上板に取付けることが可能な回転式ルーペを提供する。【解決手段】上板１と、下板２と、上板１と下板２の間に回転可能に挟持されたルーペ部３と、上板１の表面に取付けられるカバー部材４とを備えた回転式ルーペであって、カバー部材４の側面に、少なくとも２つ以上の係止突起４ａが設けられており、上板１の周囲に凸縁部１ａが設けられると共に、凸縁部１ａの内側面に係止突起４ａが嵌着される係合凹部１ｂが設けられた構成とする。カバー部材４の側面に、上板１の凸縁部１ａの係合凹部１ｂに嵌着される係止突起４ａが設けられているので、カバー部材４の裏面に接着剤を塗布しなくても、カバー部材４の係止突起４ａを上板１の係合凹部１ｂに嵌着させるという簡易な作業で、カバー部材４を上板１の表面に取付けることができる。【選択図】図２
0003189203.tif 000002
【実用新案登録請求の範囲】
【請求項１】
上板と、下板と、上板と下板の間に回転可能に挟持されたルーペ部と、上板の表面に取付けられるカバー部材とを備えた回転式ルーペであって、
上記カバー部材の側面に、少なくとも２つ以上の係止突起が設けられており、
上記上板の周囲に凸縁部が設けられると共に、該凸縁部の内側面に上記係止突起が嵌着される係合凹部が設けられていることを特徴とする回転式ルーペ。
【請求項２】
上記カバー部材が透明性を有するものであり、その裏面にプリントフィルムを貼着すると共に、上記上板にメッキ加工を施したことを特徴とする請求項１に記載の回転式ルーペ。
【請求項３】
上記ルーペ部に照明装置を設けたことを特徴とする請求項１又は請求項２に記載の回転式ルーペ。
【考案の詳細な説明】
【技術分野】
【０００１】
本考案は、回転式ルーペに関し、更に詳しくは、上板の表面に種々の模様を施すことで美観を感じさせる回転式ルーペに関するものである。
【背景技術】
【０００２】
従来より、持ち運びに便利な携帯用ルーペが普及しており、近年、その携帯用ルーペに、拡大鏡としての機能だけでなく、その他の機能も付随させたものが多く見られるようになってきている。
【０００３】
例えば、上蓋と下蓋とルーペ部とを備えたルーペであって、その上蓋の内面にミラーが取付けられたミラー付きルーペのように、上蓋に取付けられたミラーで身だしなみ等を簡易にチェックできる便利なルーペもある（特許文献１）。
【０００４】
また、透明のカバーガラスの裏面にプリントフィルムを貼着し、そのカバーガラスをルーペの上蓋等の表面に取付けた携帯用ルーペもある。
【０００５】
上記のような携帯用ルーペは、カバーガラスの裏面に、富士山や東京タワー等のご当地の模様柄のプリントフィルムが貼着されることも多く、このような携帯用ルーペは、美観を感じさせるとして、土産物店等で海外の観光客からも人気が高い。また、この携帯用ルーペは、貼着するプリントフィルムのみを変更することで、簡単に模様柄の変更ができるので、汎用性が非常に高い。
【先行技術文献】
【特許文献】
【０００６】
【特許文献１】実用新案登録第３１８６２６８号公報
【考案の概要】
【考案が解決しようとする課題】
【０００７】
しかしながら、上記のように模様柄が施された携帯用ルーペは、ルーペの上蓋にカバーガラスを取付ける際、カバーガラスの裏面に接着剤を塗布する工程を手作業で行っていた為、その接着作業に、多大な労力と時間を要し、人件費も嵩むものであった。
【０００８】
本考案は上記の問題に鑑みてなされたもので、その解決しようとする課題は、接着剤を塗布するという煩雑な作業をしなくとも、種々のデザインが施されたカバー部材を容易に上板に取付けることが可能な回転式ルーペを提供することにある。
【課題を解決するための手段】
【０００９】
上記目的を達成するため、本考案に係る回転式ルーペは、上板と、下板と、上板と下板の間に回転可能に挟持されたルーペ部と、上板の表面に取付けられるカバー部材とを備えた回転式ルーペであって、上記カバー部材の側面に、少なくとも２つ以上の係止突起が設けられており、上記上板の周囲に凸縁部が設けられると共に、該凸縁部の内側面に上記係止突起が嵌着される係合凹部が設けられていることを特徴とするものである。
【００１０】
本考案の回転式ルーペにおいては、上記カバー部材が透明性を有するものであり、その裏面にプリントフィルムを貼着すると共に、上記上板にメッキ加工を施すことが好ましく、上記ルーペ部に照明装置を設けることがより好ましい。
【考案の効果】
【００１１】
本考案の回転式ルーペは、上板に取付けられるカバー部材に種々のデザインを施すことで、単に拡大鏡としての利用だけではなく、回転式ルーペを視覚的にも楽しむことができるようになる。しかも、カバー部材の側面に、上板の凸縁部の係合凹部に嵌着される係止突起が設けられているので、従来のように、カバー部材の裏面に接着剤を塗布しなくても、カバー部材の係止突起を上板の係合凹部に嵌着させるという簡易な作業で、カバー部材を上板の表面に取付けることができるのでなり、製造の労力や時間が大幅に減らせて人件費も抑えられる。また、接着剤を用いなくてもカバー部材が取付けられるので、カバー部材のみの取替えが可能となり、汎用性が極めて高い。
【００１２】
特に、上記カバー部材が透明性を有するものであり、その裏面にプリントフィルムを貼着すると共に、上記上板にメッキ加工を施した回転式ルーペは、カバー部材を透明にすることで、裏面に貼着したプリントフィルムが視認できるようになり、プリントフィルムによりデザインの柄を決定することで、より容易に種々のデザインにすることが可能となる。また、上板にメッキ加工を施すことで、プリントされたデザイン柄が浮かび上がるように見えて、より美観を感じさせる回転式ルーペとなる。
【００１３】
更に、上記ルーペ部に照明装置を設けた回転式ルーペは、暗い場所でも回転式ルーペが利用できるようになり、利便性が一層向上する。
【図面の簡単な説明】
【００１４】
【図１】本考案の一実施形態に係る回転式ルーペを示すものであって、（ａ）はルーペ部を格納した状態の斜視図、（ｂ）はルーペ部を引き出した状態の斜視図である。
【図２】同回転式ルーペの分解斜視図である。
【図３】同回転式ルーペを構成する上板を示すものであって、（ａ）は平面図、（ｂ）はＡ−Ａ線端面図である。
【図４】同回転式ルーペを構成するカバー部材を示すものであって、（ａ）は平面図、（ｂ）は正面図、（ｃ）は右側面図である。
【図５】同回転式ルーペの上板とカバー部材との関係を示すものであって、（ａ）は上板にカバー部材が取付けられた状態の端面図、（ｂ）は（ａ）の円で囲んだ部分の拡大図である。
【図６】同回転式ルーペの上板と下板の連結状態を示す概略断面図である。
【図７】同回転式ルーペを構成するルーペ部の裏面を示す斜視図である。
【考案を実施するための形態】
【００１５】
以下、図面を参照して本考案の具体的な実施形態を詳述する。
【００１６】
本考案の回転式ルーペＬは、図２に示すように、上板１と、下板２と、上板１と下板２の間に回転可能に挟持されたルーペ部３と、上板１の表面に取付けられるカバー部材４とを備えた携帯用の回転式ルーペＬであって、図１の（ｂ）に示すように、ルーペ部３を引き出して利用するようになっている。
【００１７】
上記上板１は、長さが約８０ｍｍ、幅が約４２ｍｍ、厚みが約２ｍｍ程度のもので、図３の（ａ）に示すように、手に馴染み易い略瓢箪形に形成されている。この上板１の周囲には、図３の（ｂ）に示すように、高さが約２ｍｍ程度の凸縁部１ａが上方に向けて突設されており、その凸縁部１ａの内側面には、後述するカバー部材４の係止突起４ａが嵌着される係合凹部１ｂが設けられている。
【００１８】
上記係合凹部１ｂは、上板１の凸縁部１ａの内側面を、奥側に約０．４ｍｍ程度、左右に約６ｍｍ程度切欠くことで設けられたもので、本実施形態の回転式ルーペＬは、カバー部材４の取付け、取外しの作業をより容易にするため、凸縁部１ａの内側面だけでなく、上板１の表面に至るまで係合凹部１ｂが設けられている。このような係合凹部１ｂにカバー部材４の係止突起４ａを嵌着させると、図５に示すように、係合凹部１ｂが返しの役割を果たして、カバー部材４は外れることなく確実に取付けられる。
【００１９】
また、上記上板１には、金メッキ加工が施されている。このように、上板１にメッキ加工を施すことで、回転式ルーペＬの質感が向上すると共に、後述するカバー部材４にプリントされたデザイン柄が浮かび上がるように見えて、より美観を感じさせるものとなる。
尚、上板１に銀メッキ加工を施しても、印象のまた違った回転式ルーペＬになるので、デザイン柄によって使い分けることが好ましい。
【００２０】
更に、上記上板１の裏面には、図２、図６に示すように、下板２との連結用であると共にルーペ部３の回転軸となる、リング型の軸部１ｃが下方に向けて突設されている。この軸部１ｃには、内周面にネジ溝（不図示）が形成された筒部１０ｃが複数本（本実施形態では５本）設けられており、この筒部１０ｃを、後述する下板２の軸部２ａの凹部２０ａに嵌め込み、下板２のネジ孔２１ａからビス６を締め込むことで、上板１と下板２が連結されて一体化されている。
【００２１】
次に、上記上板１と連結されて一体化される下板２は、図１、図２に示すように、上板１と同形状の略瓢箪形をしたもので、その上面には、上板１の軸部１ｃと連結されるリング型の軸部２ａが上方に向けて突設されている。
【００２２】
上記下板２の軸部２ａには、図２、図６に示すように、上板１の筒部１０ｃが嵌め込まれる凹部２０ａが５箇所設けられており、その凹部２０ａに貫通するネジ孔２１ａが下板２の下面から穿孔されている。前述したように、上板１の筒部１０ｃを下板２の凹部２０ａに嵌め込んだ後、ビス６を筒部１０ｃのネジ溝に螺合することにより、上板１と下板２が連結されて一体化される。
【００２３】
上記のような構成の、上板１と下板２の間に回転可能に挟持されるルーペ部３は、図２に示すように、半透明の合成樹脂で略長円形状に形成されたもので、その前側にはレンズ３ａが設けられている。このレンズ３ａの倍率は、１．５〜４倍程度のものが携帯用のルーペのレンズ３ａとしては好適であり、これにより細かい文字等が拡大されて容易に見れるようになっている。
【００２４】
また、ルーペ部３の後側には、上記上板１と下板２の軸部１ｃ，２ａよりも僅かに直径の大きな嵌挿孔３ｂが穿孔されている。この嵌挿孔３ｂに、上板１と下板２の軸部１ｃ，２ａを上下から嵌挿し、上板１の軸部１ｃの筒部１０ｃを下板２の軸部２ａの凹部２０ａに嵌め込んで、ネジ孔２１ａからビス６を螺合することすることで、上板１と下板２及びルーペ部３が連結されて一体化されている。このようにルーペ部３を上板１と下板２の間に挟持させることで、ルーペ部３は３６０°回転可能となると共に、レンズ３ａを保護することもできるようになる。
【００２５】
上記ルーペ部３の裏面には、図７に示すように、照明装置５が設けられている。この照明装置５は、白色ＬＥＤライトであって、ルーペ部３を９０°以上回転させると、照明装置５が点灯する回路が組み込まれている。このように、ルーペ部３の裏面に照明装置５を設けることで、暗い場所でも回転式ルーペＬが利用できるようになり、利便性が一層向上する。
【００２６】
次に、上記上板１の表面に取付けられるカバー部材４は、透明性を有するクリア部材であって、その材質としては、アクリル樹脂など種々のものが考えられるが、ここでは特に、安価で強度に優れるポリカーボネート樹脂製のものが好適に用いられる。そして、このカバー部材４の裏面には、プリントフィルム４ｂが貼着されている。
【００２７】
上記プリントフィルム４ｂには、富士山や東京タワー等のご当地柄や、その他種々の美観を感じさせるデザインがプリントされており、回転式ルーペＬの印象を決定する大きな役割を果たす。このようなプリントフィルム４ｂをカバー部材４の裏面に貼着することで、前述したように、上板１にメッキ加工が施されているのと相俟って、プリントされたデザイン柄が浮かび上がるように見えて、非常に高級感を感じさせるものとなる。また、カバー部材４が透明性を有するものとし、プリントフィルム４ｂを、カバー部材４の表面ではなく裏面に貼着することで、プリントフィルム４ｂの模様を保護することもできる。
【００２８】
上記のようなプリントフィルム４ｂが貼着されたカバー部材４は、従来、その裏面に接着剤を塗布することで、上板１の表面に取付けられていた。しかしながら、接着剤を塗布する工程は手作業で行っていた為、その作業に、多大な労力と時間を要し、人件費も嵩むものであった。そこで、本考案の回転式ルーペＬは、次に説明する係止突起４ａをカバー部材４に設けることで、接着剤を塗布するという煩雑な作業をしなくても、カバー部材４を上板１の表面に取付けることができるようにしている。
【００２９】
即ち、係止突起４ａは、図５の（ａ）に示すように、上記上板１の凸縁部１ａの係合凹部１ｂに嵌着される突起であって、図４の（ａ），（ｃ）に示すように、上記カバー部材４の側面から外方向に突設されている。この係止突起４ａは、左右の幅が、前述した係合凹部１ｂの幅よりも若干小さい約５ｍｍ程度のもので、カバー部材４の側面から、約０．５ｍｍ程度外側に突設されている。この係止突起４ａは、取付け、取外し作業を考慮すると、図５の（ｂ）に示すように、上板１の係合凹部１ｂとの間に、多少のクリアランスを設けることが好ましい。また、図４の（ｂ）に示すように、係止突起４ａは、カバー部材４の厚みの中間地点から下側に設けられており、これにより、上板１にカバー部材４を取付けた際、上板１の凸縁部１ａとカバー部材４の間に段差がなくなって面一となる。
【００３０】
上記係止突起４ａは、１つだけ設けても上板１から外れてしまうので、少なくとも２つ以上設ける必要があるものであり、本実施形態では、より確実に取付けたカバー部材４が外れないよう、合計４つの係止突起４ａが設けられている。このように係止突起４ａを設け、この係止突起４ａを前述した上板１の係合凹部１ｂに嵌着させることで、カバー部材４の裏面に接着剤を塗布しなくても、カバー部材４を上板１に取付けることができるようになる。
【００３１】
以上の説明から明らかなように、本考案の回転式ルーペＬは、カバー部材４の側面に係止突起４ａを設けると共に、上板１の凸縁部１ａに係合凹部１ｂを設け、その係止突起４ａを係合凹部１ｂに嵌着させてカバー部材４を上板１の表面に取付けるようにすることで、従来、接着剤を塗布する作業に必要であった多大な労力や時間及び人件費を大幅に削減することができる。勿論、本考案の回転式ルーペＬは、カバー部材４を取付ける際に、接着剤を塗布することを完全に排除するものではなく、その際も、従来と比較して、極少量の接着剤の塗布で、確実にカバー部材４を上板１に取付けることができる。
【符号の説明】
【００３２】
Ｌ    回転式ルーペ
１    上板
１ａ  凸縁部
１ｂ  係合凹部
１ｃ  軸部
１０ｃ  筒部
２    下板
２ａ  軸部
２０ａ  凹部
２１ａ  ネジ孔
３    ルーペ部
３ａ  レンズ
３ｂ  嵌挿孔
４    カバー部材
４ａ  係止突起
４ｂ  プリントフィルム
５    照明装置（ＬＥＤライト）
６    ビス
【図１】
0003189203.tif 000003
【図２】
0003189203.tif 000004
【図３】
0003189203.tif 000005
【図４】
0003189203.tif 000006
【図５】
0003189203.tif 000007
【図６】
0003189203.tif 000008
【図７】
0003189203.tif 000009